(57)【要約】【課題】  信号の検出迄に時間を要すことのない映像装置を提供する。【解決手段】  セレクタ１０３は、複数の映像入力端から１つの入力を選択し、この選択した映像信号を出力する。複数の映像信号検出部１０５ａ〜ｃは、前記複数の映像入力端から映像信号が供給されているか否かを判定する。複数の信号判定部１０６ａ〜ｃは、新たに映像信号が検出されたときに映像信号のフォーマットを判定する。信号処理部１０４は、セレクタからの映像信号に、前記信号判定部からの判定結果に応じた信号処理を行う。制御手段１０７は、複数の映像入力端の全てに映像信号が供給されていないとき、新たに前記映像信号が検出された場合、この検出された映像信号をセレクタに選択させる。【選択図】      図１
2006287646.tif 000002
【特許請求の範囲】
【請求項１】
複数の映像入力端を有し、該複数の映像入力端から１つの入力を選択し、この選択した映像信号を出力するセレクタと、
前記複数の映像入力端から映像信号が供給されているか否かを判定する複数の映像信号検出部と、
前記複数の映像信号検出部に対応して設けられ、前記複数の映像検出部からの検出結果が供給されていることを示すとき、この映像信号のフォーマットを判定し、この判定結果を信号処理部へ出力する複数の信号判定部と、
前記セレクタからの映像信号に、前記信号判定部からの判定結果に応じた信号処理を行う信号処理部と、
前記複数の映像入力端の全てに映像信号が供給されていないときに、前記複数の映像信号検出部の内少なくともいずれか１つによって前記映像入力端に新たに前記映像信号が検出された場合、この検出された映像信号検出部に対応する信号判定部からの判定結果を前記信号処理部へ供給し、前記検出された映像信号を前記セレクタに選択させることにより、前記新たに検出された前記映像信号を映像出力端へ出力させる制御手段とを備えたことを特徴とする映像装置。
【請求項２】
複数の映像入力端を有し、該複数の映像入力端から１つの入力を選択し、この選択した映像信号を出力するセレクタと、
前記複数の映像入力端から映像信号が供給されているか否かを検出する複数の映像信号検出部と、
前記セレクタからの映像信号のフォーマットを判定し、この判定結果を信号処理部へ出力する信号判定部と、
前記セレクタからの映像信号に、前記信号判定部からの判定結果に応じた信号処理を行う信号処理部と、
前記複数の映像入力端の全てに映像信号が供給されていないときに、前記複数の映像信号検出部の内少なくともいずれか１つによって前記映像入力端に新たに前記映像信号が検出された場合、前記検出された映像信号を前記セレクタに選択させることにより、前記新たに検出された前記映像信号を映像出力端へ出力させる制御手段とを備えたことを特徴とする映像装置。
【請求項３】
前記信号処理部は、前記映像信号に映像を合成するＯＳＤ（オン・スクリーン・ディスプレイ）処理部を有しており、
前記映像信号検出部により新たな映像信号の入力が検出されたときに、前記信号処理部に対して、新たな映像信号の入力が検出されたことを示す映像信号を、前記ＯＳＤ処理部により生成させる制御手段とを備えたことを特徴とする請求項１または２記載の映像装置。
【請求項４】
前記制御手段は前記信号処理部に対して、前記新たな映像信号の入力が検出されたことを示す映像信号として、前記新たな映像信号が入力された入力端子名、または、前記新たな映像信号が入力された入力端子名および前記新たに入力された映像信号のいずれか一方を、いままで信号処理していた映像信号に合成させることを特徴とする請求項３に記載の映像装置。
【請求項５】
前記制御手段は前記信号処理部に対して、所定経過後に前記合成を中止させることを特徴とする請求項４記載の映像装置。
【発明の詳細な説明】
【技術分野】
【０００１】
この発明は、映像装置に関し、特に入力信号を切り替えて表示等を行う映像装置に関する。
【背景技術】
【０００２】
従来、複数の信号入力端を備え、この信号入力端に新たに信号が入力されると切り替えて表示等を行う映像装置としては、テレビジョン受信機がある（例えば、特許文献１参照）。
【０００３】
特許文献１の技術では、外部入力端子１〜４に入力された信号を信号検出部４により検出する。信号検出部４は、新たに信号入力が検出されると、この信号について予め決められた表示モードで表示等を行う。
【特許文献１】特開２００１−１５７１３５公報（第３頁、第１図）
【発明の開示】
【発明が解決しようとする課題】
【０００４】
しかし、特許文献１の信号検出部４では、外部入力端子１〜４に入力された信号をどのような方法で検出しているかについては開示されていない。このため信号の入力有無の検出迄に時間を要してしまう場合があり得るという問題があった。例えば、外部入力端子１〜４に入力された信号を順次切り替えていた場合、入力有無の検出迄に時間を要してしまう。
【課題を解決するための手段】
【０００５】
上記の目的を達成するために、この発明においては、複数の映像入力端を有し、該複数の映像入力端から１つの入力を選択し、この選択した映像信号を出力するセレクタと、前記複数の映像入力端から映像信号が供給されているか否かを判定する複数の映像信号検出部と、前記複数の映像信号検出部に対応して設けられ、前記複数の映像検出部からの検出結果が供給されていることを示すとき、この映像信号のフォーマットを判定し、この判定結果を信号処理部へ出力する複数の信号判定部と、前記セレクタからの映像信号に、前記信号判定部からの判定結果に応じた信号処理を行う信号処理部と、前記複数の映像入力端の全てに映像信号が供給されていないときに、前記複数の映像信号検出部の内少なくともいずれか１つによって前記映像入力端に新たに前記映像信号が検出された場合、この検出された映像信号検出部に対応する信号判定部からの判定結果を前記信号処理部へ供給し、前記検出された映像信号を前記セレクタに選択させることにより、前記新たに検出された前記映像信号を映像出力端へ出力させる制御手段とを備えたことを特徴とする映像装置を提供する。
【０００６】
また、上記の目的を達成するために、この発明においては、複数の映像入力端を有し、該複数の映像入力端から１つの入力を選択し、この選択した映像信号を出力するセレクタと、前記複数の映像入力端から映像信号が供給されているか否かを検出する複数の映像信号検出部と、前記セレクタからの映像信号のフォーマットを判定し、この判定結果を信号処理部へ出力する信号判定部と、前記セレクタからの映像信号に、前記信号判定部からの判定結果に応じた信号処理を行う信号処理部と、前記複数の映像入力端の全てに映像信号が供給されていないときに、前記複数の映像信号検出部の内少なくともいずれか１つによって前記映像入力端に新たに前記映像信号が検出された場合、前記検出された映像信号を前記セレクタに選択させることにより、前記新たに検出された前記映像信号を映像出力端へ出力させる制御手段とを備えたことを特徴とする映像装置を提供する。
【０００７】
なお、装置に係る本発明は方法に係る発明としても成立し、方法に係る本発明は装置に係る発明としても成立する。
【発明の効果】
【０００８】
この発明によれば、複数の入力信号検出回路により複数の入力端子に供給された信号の有無を検出しているので、信号の検出迄に時間を要すことのない映像装置を提供することができる。
【発明を実施するための最良の形態】
【０００９】
以下、図面を参照しながら本発明の実施の形態について説明する。
（第１の実施形態）
図１は、本発明の第１の実施形態に係る映像装置の構成を示す図である。
図１において映像装置１００は、入力端子１０２、セレクタ１０３、信号処理回路１０４、信号検出・判定回路１０５ａ〜１０５ｃ、マイコン１０７、出力端子１０８から構成されている。この映像装置がプロジェクターであれば光学系の部品、テレビジョン受信機であればチューナ等を更に備えている。
【００１０】
外部映像機器１０１ａ〜１０１ｃは、本発明の映像装置１００へ外部から映像信号を供給する映像機器である。外部映像機器１０１ａは、この例ではパーソナルコンピュータである。外部映像機器１０１ｂおよび１０１ｃは、この例ではビデオ・テープ・コレーダである。なお、外部映像機器１０１ｂ，ｃは、再生専用機であっても良いし、ディスクレコーダであっても良い。外部映像機器１０１ａ〜１０１ｃは、電源が投入され動作状態にあれば、映像信号を入力端子１０２に供給する。
【００１１】
信号検出・判定回路１０５ａは、外部映像機器１０１ａから入力されている映像信号のフォーマットを判定し、この判定結果をマイコン１０７へ出力する。
信号検出・判定回路１０５ｂは、外部映像機器１０１ａから入力されている映像信号のフォーマットを判定し、この判定結果をマイコン１０７へ出力する。
信号検出・判定回路１０５ｃは、外部映像機器１０１ａから入力されている映像信号のフォーマットを判定し、この判定結果をマイコン１０７へ出力する。
このようにして信号検出回路１０５ａ〜１０５ｃにより、全入力端子に入力されている映像信号のフォーマットが常に判定され、この判定結果はマイコン１０７へ供給される。これによって、常にマイコン１０７は入力端子への入力状況を把握することが可能となる。
【００１２】
マイコン１０７は、全ての外部映像機器１０１ａ〜１０１ｃから映像信号が入力されていない状態のときに、外部映像機器１０１ａ〜１０１ｃ内のいずれか１台の外部映像機器１０１から新たに映像信号が入力されると、この入力された映像信号のフォーマットの判定結果が信号検出・判定回路１０５から入力される。するとマイコン１０７は、新たに映像信号が供給された外部映像機器１０１を選択するようセレクタ１０３に対して制御信号を出力する。
【００１３】
セレクタ１０３は、マイコン１０７からの制御信号により外部映像機器１０１ａ〜１０１ｃのいずれか１台の機器からの映像信号を選択して信号処理回路１０４へ出力する。
【００１４】
信号処理回路１０４は、セレクタ１０３から入力された映像信号をマイコン１０７からの制御信号に応じた処理やＯＳＤ処理等を行い、これらの処理を行った映像信号を出力端子１０８へ出力する。この制御信号に応じた処理とは、例えば放送方式に応じてＮＴＳＣやＰＡＬ／ＳＥＣＡＭ方式等の入力されたときに、これを出力端子１０８の外部に接続された外部ディスプレイ装置で要求されている信号へ変換するための処理がある。この他に制御信号に応じた処理とは、映像の補正処理、インタフェースの変換処理等がある。信号処理回路１０４から出力端子１０８へ供給された映像信号は外部のディスプレイ装置へ出力される。
【００１５】
この結果、全ての外部映像機器１０１ａ〜１０１ｃから映像信号が入力されていない状態のときに、いずれか１台の外部映像機器１０１から新たに映像信号が入力されると、この新たに映像信号が入力された外部映像機器１０１からの映像信号をセレクタ１０３により選択し、入力された映像信号の種類に応じた信号処理を行って出力端子１０８から出力することができる。
【００１６】
この技術を用いることでパラレルでの入力端子の検索が可能となり画像が出力されるまでの時間を短縮することができる。
（第２の実施形態）
次に、本発明の第２の実施形態について詳細に説明する。
図２は、本発明の第２の実施形態に係る映像装置の構成を示す図である。この第２の実施形態では、信号を判定するための回路が共用化されている点が第１の実施形態と異なる点である。
【００１７】
図２において映像装置１００は、入力端子１０２、セレクタ１０３、信号処理回路１０４、信号検出回路２０１ａ〜２０１ｃ、信号判定回路２０２、マイコン１０７、出力端子１０８から構成されている。この映像装置がプロジェクターであれば光学系の部品、テレビジョン受信機であればチューナ等を更に備えている。
【００１８】
外部映像機器１０１ａ〜１０１ｃは、本発明の映像装置１００へ外部から映像信号を供給する映像機器である。外部映像機器１０１ａは、この例ではパーソナルコンピュータである。外部映像機器１０１ｂおよび１０１ｃは、この例ではビデオ・テープ・コレーダである。なお、外部映像機器１０１ｂ，ｃは、再生専用機であっても良いし、ディスクレコーダであっても良い。外部映像機器１０１ａ〜１０１ｃは、電源が投入され動作状態にあれば、映像信号を入力端子１０２に供給する。
【００１９】
信号検出回路２０１ａは、外部映像機器１０１ａから映像信号が入力されているか否かを判定し、この判定結果をマイコン１０７へ出力する。
信号検出回路２０１ｂは、外部映像機器１０１ｂから映像信号が入力されているか否かを判定し、この判定結果をマイコン１０７へ出力する。
信号検出回路２０１ｃは、外部映像機器１０１ｃから映像信号が入力されているか否かを判定し、この判定結果をマイコン１０７へ出力する。
信号判定回路２０１は、セレクタ１０３から映像信号が入力されるとこの映像信号のフォーマットを判定し、この判定結果をマイコン１０７へ出力する。
このようにしてマイコン１０７は、信号検出回路２０１ａ〜１０５ｃにより、全入力端子の接続状況を常に確認している。そして、もし全ての外部映像機器１０１ａ〜１０１ｃから映像信号が入力されていない状態のときに、いずれか１台の外部映像機器１０１から新たに映像信号が入力されると、この新たに映像信号が入力された外部映像機器１０１からの映像信号をセレクタ１０３により選択させる。
【００２０】
信号判定回路１０６は、新たに入力された映像信号のフォーマットを判定し、この判定結果をマイコン１０７へ出力する。
以上によってマイコン１０７は入力端子への入力状況を把握することが可能となる。
マイコン１０７は、全ての外部映像機器１０１ａ〜１０１ｃから映像信号が入力されていない状態のときに、外部映像機器１０１ａ〜１０１ｃ内のいずれか１台の外部映像機器１０１から新たに映像信号が入力されると、これを信号検出回路１０５から入力された検出結果により検出する。するとマイコン１０７は、新たに映像信号が供給された外部映像機器１０１を選択するようセレクタ１０３に対して制御信号を出力する。更に、映像信号のフォーマットを判定させるための制御信号を信号判定回路２０２へ出力する。
【００２１】
セレクタ１０３は、マイコン１０７からの制御信号により外部映像機器１０１ａ〜１０１ｃのいずれか１台の機器からの映像信号を選択して信号処理回路１０４および信号判定回路１０６へ出力する。
【００２２】
信号判定回路２０２は、マイコン１０７からの制御信号により制御され、セレクタ１０３により選択された映像信号の信号フォーマットを判定し、この判定結果をマイコン１０７へ出力する。
【００２３】
信号処理回路１０４は、セレクタ１０３から入力された映像信号をマイコン１０７からの制御信号に応じた処理やＯＳＤ処理等を行い、これらの処理を行った映像信号を出力端子１０８へ出力する。この制御信号に応じた処理とは、例えば放送方式に応じてＮＴＳＣやＰＡＬ／ＳＥＣＡＭ方式等の入力されたときに、これを出力端子１０８の外部に接続された外部ディスプレイ装置で要求されている信号へ変換するための処理がある。この他に制御信号に応じた処理とは、映像の補正処理、インタフェースの変換処理等がある。信号処理回路１０４から出力端子１０８へ供給された映像信号は外部のディスプレイ装置へ出力される。
【００２４】
この結果、全ての外部映像機器１０１ａ〜１０１ｃから映像信号が入力されていない状態のときに、いずれか１台の外部映像機器１０１から新たに映像信号が入力されると、この新たに映像信号が入力された外部映像機器１０１からの映像信号をセレクタ１０３により選択し、入力された映像信号の種類に応じた信号処理を行って出力端子１０８から出力することができる。
【００２５】
この技術を用いることでパラレルでの入力端子の検索が可能となり画像が出力されるまでの時間を短縮することができる。
（第３の実施形態）
次に、本発明の第３の実施形態について詳細に説明する。
この第３の実施形態は、上記した第１の実施形態または第２の実施形態を変形した実施形態である。
信号処理回路１０４は、ＯＳＤ（On Screen Display）機能を有している。そしてマイコン１０７は信号処理回路１０４を制御し、複数存在している入力端子１０２の内、どの入力端子１０２から映像信号が入力されているかをＯＳＤ機能を用いて信号処理回路１０４により図３に示すような入力状況を知るための入力メニュー等の表示をセレクタ１０３から入力された映像信号に合成させる。
【００２６】
図３はこれを入力切替時に適用した例であり、マイコン１０７は、映像信号が入力されている入力端子については黒丸印、映像信号が入力されていない入力端子については白丸印を表示させ、現在、Digital RGB (DVI-I)、Analog RGB (D-sub)、Video、Camera、PC-Cardの５つの入力端子からの映像信号が入力されており、Videoに斜線が引かれていることから現在はVideo入力端子の映像信号が出力端子１０８から出力されていることを示している。なお、図３の例は図１，２よりも入力端子が多い場合の例を示した例である。
【００２７】
そして図示しないリモコン等により例えば上下ボタンを押すことによりユーザの指示がマイコン１０７に伝えられ、マイコン１０７によって入力切替を行うものである。この選択をするときに上下ボタンを押したときにマイコン１０７は、一番近い入力端子に切り替える。
【００２８】
この例では上下ボタンを押すことにより入力切替を行ったが、例えば「入力切替」ボタンを押すことにより映像信号が入力されている入力端子を順次切り替えるようにしてもよい。この場合マイコン１０７は、他に映像信号が入力されている入力端子がない場合には、この旨通知するメッセージを表示するようにしてもよい。
【００２９】
これらの制御は、マイコン１０７内のプログラムによる制御により行われる。
この結果ユーザは、現在どの入力端子に映像信号が入力されているかを知ることができる。
複数の入力端子接続時において、ユーザが接続端子を選択する際、繋がっていない端子は選択肢から除外されるため、より入力端子選択がし易くなる。
（第４の実施形態）
次に、本発明の第４の実施形態について詳細に説明する。
この第４の実施形態は、自動入力検索を用いて入力されている入力端子のみから入力選択を行うことができるものである。第３の実施形態では全ての入力端子が表示されていた。しかし、この実施形態ではマイコン１０７は、映像信号が入力されている入力端子からしか入力選択のための表示を行わない。
【００３０】
この結果、映像信号が入力されている入力端子のみの選択肢によるメニューの中からユーザは入力切替を行うことができる。
この第３の実施形態と第４の実施形態とは、マイコン１０７の設定を切り替えることにより切替可能となっていてもよい。例えば、不揮発性メモリやマイコン１０７内のレジスタ等に記憶することでどちらの動作をするかを切り替える。
【００３１】
（上記各実施形態の変形例）
更なる変形例として、マイコン１０７が新たな入力信号を検知すると、現在出力端子１０８から出力している映像信号に図５に示すように合成し、新たな入力端子の表示を行ってもよい。図５の例は、新たにＵＳＢ入力端子からの映像信号が入力されたことを示した例であり、図５（ａ）の状態で、新たにＵＳＢ入力端子から入力があると、図５（ｂ）に示す表示をＯＳＤ表示する。
【００３２】
この例では文字情報として合成しているが、本発明はこれに限定されず、アイコン等のイメージであってもよい。
更に、信号処理回路１０４へ複数の入力端子からの信号を供給し、これを合成処理する機能を持たせ、図５（ｃ）に示すように例えばＰＩＰ（ピクチャー・イン・ピクチャー）表示等の複数画面表示させることにより、ユーザはどのような映像信号が入力されたかについても確認することができる。
【００３３】
ディスプレイがＳＥＤ（Surface-conduction Electron-emitter Display）ディスプレイや、ＣＲＴ（Cathode Ray Tube）ディスプレイ、プラズマディスプレイなどでは静止画を長時間投影すると画面焼付きが発生しやすいので、このＯＳＤ表示している時間が所定時間（例えば１０秒間）経過したら、マイコン１０７はＯＳＤ表示をやめる。これにより画面焼付きを防ぐことができる。
【００３４】
この結果、新たに入力が行われた端子を知ることができる。また、画面焼付きを防止することができる。
また、この発明は、（１）ミクロンサイズの徴微小な鏡（マイクロミラー）を半導体上に４８万〜１３１万個敷きつめたＤＭＤ（デジタル・マイクロミラー・デバイス）、（２）２枚のガラス板の間に液晶状態の物質を封入し、電圧をかけることによって液晶分子の向きを変え、光の透過率を増減させることで像を表示する液晶（liquid crystal）ディスプレイ、（３）ＦＥＤ（電界放出ディスプレイ、Field Emission Display)の一種で、表面伝導型電子放出素子（Surface-conduction Electron-emitter）という表示素子を利用したＳＥＤ（表面電界ディスプレイ、Surface-conduction Electron-emitter Display）、（４）２枚のガラスの間にヘリウムやネオンなどの高圧のガスを封入し、そこに電圧をかけることによって発光させるプラズマディスプレイパネル（Plasma Display Panel）、（５）電子銃から電子ビームを発射し、これを側面の偏光ヨークと呼ばれる電磁石で曲げて、装置前面の蛍光幕に照射して発光させるＣＲＴ（陰極線管、Cathode Ray Tube）、（６）蛍光体物質が励起源である電界から受け取ったエネルギーを発光して放出するエレクトロルミネセンス（electro-luminescence）方式のディスプレイを使った、データプロジェクターやテレビジョン受信装置にも適用することができる。
【００３５】
図６や図７は、このようなディスプレイを備えたテレビジョン受信装置に適用した場合の構成を示す図である。
図６は図１をテレビジョン受信装置に適用、図７は図２をテレビジョン受信装置に適用したものである。図６，７は、図１，２と比較してチューナ１０９が内蔵されると共に、信号処理回路１０４により信号処理された信号を表示するためのディスプレイ１１０を備えている。
【００３６】
このようなテレビジョン受信装置に本発明を適用しても同様の効果を得ることができる。
【図面の簡単な説明】
【００３７】
【図１】本発明の映像装置の構成を説明するためのブロック図。
【図２】本発明の映像装置の構成を説明するためのブロック図。
【図３】本発明のＯＳＤ表示の一例を示す図。
【図４】本発明のＯＳＤ表示の一例を示す図。
【図５】本発明のＯＳＤ表示の一例を示す図。
【図６】本発明の映像装置をテレビジョン受信装置に適用した場合の構成を説明するためのブロック図。
【図７】本発明の映像装置をテレビジョン受信装置に適用した場合の構成を説明するためのブロック図。
【符号の説明】
【００３８】
１００…映像装置、１０１ａ〜１０１ｃ…外部映像機器、１０２…入力端子、１０３…セレクタ、１０４…信号処理回路、１０５ａ〜１０５ｃ…信号検出・判定回路、１０７…マイコン、１０８…出力端子、１０９…チューナ、１１０…ディスプレイ、２０１…信号検出回路、２０２…信号判定回路２０２。
【図１】
2006287646.tif 000003
【図２】
2006287646.tif 000004
【図３】
2006287646.tif 000005
【図４】
2006287646.tif 000006
【図５】
2006287646.tif 000007
【図６】
2006287646.tif 000008
【図７】
2006287646.tif 000009